(57)【要約】 【課題】  抜け止め具がシャフト２に対して安定して装着されるようにする。【解決手段】  シャフト２には直径方向に沿って貫通孔３が形成されている。抜け止め具４は金属製の板材にて折り曲げ加工されている。挿通片８には過挿入規制部７が形成され、抜け止め片９には先端に係止爪１４が形成され、シャフト２に係止することで抜け止めが可能となっている。また、抜け止め片９の途中には山形状の姿勢保持部１２が設けられ、シャフト２の外周面に適合して弾接する。姿勢保持部１２はシャフト２に対して面当たりするため、ねじれ姿勢になるのを回避することができる。【選択図】  図１
2006038028.tif 000002
【特許請求の範囲】
【請求項１】
軸受け体と、この軸受け体に挿通された円柱状の軸部材と、この軸部材に取り付けられ前記軸受け体に引っ掛かることによって前記軸部材の抜け止めを行う抜け止め具とからなる軸部材の抜け止め装置であって、
前記軸部材にはほぼ直径方向に沿って貫通孔が形成される一方、前記抜け止め具は金属製の平板材にて形成されるとともに、同抜け止め具は前記貫通孔へ挿通される挿通片とこの挿通片から折り返し状に延設されその先端には前記軸部材における外周面であって前記貫通孔の出口側に係止するか、あるいは前記挿通片の先端部に係止可能な係止部を有する抜け止め片とを備え、かつこの抜け止め片の途中には山形状に屈曲形成されてこの山形部分の内側に前記軸部材の外周面に適合して弾接する姿勢保持部が設けられていることを特徴とする軸部材の抜け止め装置。
【請求項２】
前記挿通片あるいは前記抜け止め片の少なくともいずれかには、前記軸部材における外周面であって前記貫通孔の入り口側外周面に係止して前記貫通孔に対する前記挿通片の差込深さを規定する過挿入規制部が形成されていることを特徴とする請求項１記載の軸部材の抜け止め装置。
【請求項３】
前記抜け止め具の折り返し部には前記挿通片より側方へ張り出して広幅の押し込み操作面が形成されていることを特徴とする請求項１または請求項２記載の軸部材の抜け止め装置。
【請求項４】
前記押し込み操作面のうち前記挿通部からの折り返し部とここから側方へ張り出した部分との境界部は除肉されて易変形部が形成されていることを特徴とする請求項３記載の軸部材の抜け止め装置。
【発明の詳細な説明】
【技術分野】
【０００１】
本発明は、軸部材の抜け止め装置に関する。
【背景技術】
【０００２】
例えば、シャフト等の軸部材を抜け止めするための抜け止め具として、下記特許文献１のものが知られている。ここに記載されているものは、金属製の線材を折り曲げ加工して得られるスナップピンによるものである。
【０００３】
こうしたスナップピンによって、軸部材の抜け止めを行う構造においては、軸部材は軸受け部に挿通されており、スナップピンは軸部材の挿通端に取り付けられている。ここで、スナップピンは全体が略Ｕ字状に折り曲げられており、一方の片は挿通片となって軸部材の貫通孔へ側方から挿入される。他方の片は軸部材の外周面に適合して当接し、かつ先端の抜け止め爪が軸部材に係止してスナップピンが抜け止めされる。
【特許文献１】特開平８−２４７１２２公報
【発明の開示】
【発明が解決しようとする課題】
【０００４】
しかしながら、従来のスナップピンは線材によって折り曲げ加工されたものであるため、側方からの外力を受けるとスナップピン全体が倒れ（挿通片の軸周りにねじれること）を生じやすい構造と言える。したがって、軸部材に対する装着後において姿勢安定性に乏しく、がた付き感を与える等、装着信頼性の点で改善の余地があった。
【０００５】
本発明は上記のような事情に基づいて完成されたものであって、軸部材に対する装着信頼性の向上を図ることができる軸部材の抜け止め装置を提供することを目的とする。
【課題を解決するための手段】
【０００６】
上記の目的を達成するための手段として、請求項１の発明は、軸受け体と、この軸受け体に挿通された円柱状の軸部材と、この軸部材に取り付けられ前記軸受け体に引っ掛かることによって前記軸部材の抜け止めを行う抜け止め具とからなる軸部材の抜け止め装置であって、前記軸部材にはほぼ直径方向に沿って貫通孔が形成される一方、前記抜け止め具は金属製の平板材にて形成されるとともに、同抜け止め具は前記貫通孔へ挿通される挿通片とこの挿通片から折り返し状に延設されその先端には前記軸部材における外周面であって前記貫通孔の出口側に係止するか、あるいは前記挿通片の先端部に係止可能な係止部を有する抜け止め片とを備え、かつこの抜け止め片の途中には山形状に屈曲形成されてこの山形部分の内側に前記軸部材の外周面に適合して弾接する姿勢保持部が設けられていることを特徴とする。
【０００７】
請求項２の発明は、請求項１記載のものにおいて、前記挿通片あるいは前記抜け止め片の少なくともいずれかには、前記軸部材における外周面であって前記貫通孔の入り口側外周面に係止して前記貫通孔に対する前記挿通片の差込深さを規定する過挿入規制部が形成されていることを特徴とするものである。
【０００８】
請求項３の発明は、請求項１または請求項２記載のものにおいて、前記抜け止め具の折り返し部には前記挿通部より側方へ張り出して広幅の押し込み操作面が形成されていることを特徴とするものである。
【０００９】
請求項４の発明は、請求項３記載のものにおいて、前記押し込み操作面のうち前記挿通部からの折り返し部とここから側方へ張り出した部分との境界部は除肉されて易変形部が形成されていることを特徴とするものである。
【発明の効果】
【００１０】
＜請求項１の発明＞
軸部材に挿通片を挿通すると、抜け止め片の係止部が軸部材における外周面であって貫通孔の出口側に係止あるいは挿通片の先端部に係止することにより、抜け止め具が軸部材に装着される。このとき、抜け止め片において山形状に形成された姿勢保持部が軸部材の外周面に適合して弾接するが、抜け止め具が従来のような線材でなく平板材にて形成されていることから、姿勢保持部は軸部材の外周面に対して面当たりしているため、外力を受けてもねじれを生じにくく、安定した姿勢を保持することができる。したがって、抜け止め具の装着信頼性を高めることができる。
【００１１】
＜請求項２の発明＞
請求項２の発明によれば、挿通片が貫通孔に対して必要以上に深く挿入されようとしても、過挿入規制部が軸部材に係止してこれを規制するため、過挿入の事態を回避することができる。
【００１２】
＜請求項３の発明＞
請求項３の発明によれば、押し込み操作面を挿通片よりも広幅に形成したため、操作面積の拡大によって操作力を付与しやすくなる。
【００１３】
＜請求項４の発明＞
請求項４の発明によれば、押し込み操作面の拡大に伴って抜け止め具を貫通孔から抜き出す方向への外力を受けやすくなるが、押し込み操作面を除肉して易変形部を設定したため、上記した外力を受けた場合に易変形部を変形させることで、抜き出しの方向に作用したエネルギーの吸収を行うことができる。
【発明を実施するための最良の形態】
【００１４】
＜実施形態１＞
本発明の実施形態１を図１ないし図４によって説明する。まず、図１は自動車用フットブレーキにおけるマスターシリンダとのリンク部分を示しており、上向きコの字状をなすブラケット１（本願の軸受け体に相当する）の一方の壁面から１ａは他方の壁面１ｂに向けてシャフト２が遊挿されている。シャフト２は他方の壁面１ｂを貫通しており、その端部にはほぼ直径方向に沿って貫通孔３が形成されている。同貫通孔３を利用してシャフト２には抜け止め具４が装着され、シャフト２が他方の壁面から抜け方向へ遊動しないように保持している。
【００１５】
抜け止め具４は金属製の平板材を折り曲げ加工して形成したものであり、全体としては押し込み操作面５を折り返し部として略Ｕ字状に形成されている。Ｕ字形状をなす一方の片は細帯状の挿通片８となっており、貫通孔３へ遊挿可能となっている。この実施形態においては挿通片８の先端は徐々に先細りとなるようなテーパ形状をなしており、貫通孔３への円滑な差し込みがなされるようにしてある。一方、挿通片８は押し込み操作面５寄りの位置において、外方へ斜めに屈曲して押し込み操作面５へと連続するように形成されている。また、この屈曲部６の一方の側縁（ブラケット１の壁面と反対側に位置する側縁）には過挿入規制部７が張り出し形成されている。過挿入規制部７は挿通片８が貫通孔３へ挿入されたときに、必要以上の深さまで挿入されないよう、シャフト２の外周面であって貫通孔３の入り口付近に突き当たるようにしてある。
【００１６】
押し込み操作面５は、挿通片８の屈曲部からはほぼ同幅をもって連続する基部５ａを有している。基部５ａの側方（ブラケットの壁面と反対側）には拡張部５ｂが配されている。拡張部５ｂと基部５ａとは細幅の連結片１０を介して連結されており、これら両部によって押し込み操作面５を構成している。換言すれば、押し込み操作面５は両部の連結部分において上下から高さ方向に沿ってスリット状に除肉がなされ、これによって拡張部５ｂは連結片１０部分において折れ曲がり変形を生じやすい構造となっていることから、易変形部として機能する。すなわち、拡張部５ｂは基部５ａの側方へ張り出し形成されているため、外力の作用を受けやすい。外力が挿通片８を貫通孔３から抜き出す方向に作用した場合には、後述する係止爪による係止が解除されるに先立って拡張部５ｂが変形するようにしてあり、これによって抜き出しのエネルギーを吸収することができる。
【００１７】
なお、拡張部５ｂには図示三角形状の窓部１１が開口しており、押圧操作時の滑り止めの役割を果たしている。
【００１８】
押し込み操作面５の基部５ａにおいて、挿通片８とは反対側の端部には抜け止め片９がほぼ同幅をもって連続しかつ挿通片８とほぼ向き合う状態としてある。抜け止め片９の付け根部分は自然状態においては、押し込み操作面５の基部５ａからやや斜め下向きに延設されているが、同部分はばね性が付与されて、抜け止め具４をシャフト２に装着する際には、挿通片８と抜け止め片９との間の間隔が拡張するような拡開変形を許容している。抜け止め片９の中間部は外方突出するような山形形状をなす部分が備えられており、同山形部分はシャフト２に対する抜け止め具４の姿勢保持部１２として機能するようになっている。また、姿勢保持部１２は、抜け止め具４がシャフト２に対して正規に装着されている状態では、シャフト２の中心を通る鉛直軸上に姿勢保持部１２における山形部分の頂点がほぼ位置するような設定となっている。かくして、姿勢保持部１２はシャフト２の中心を通る鉛直軸を中心として対称に弾性力を作用させるとともに、従来とは異なり、姿勢保持部１２の全幅をもって面当たり状態となっているため、抜け止め具４に対するねじれに対し効果的に抗することができるようになる。
【００１９】
抜け止め片９の先端はやや上向き傾斜となるように形成されるとともに、挿通片８の先端と同様に先細りテーパ１３が形成されている。また、抜け止め片９の先端における一方の側片（ブラケット１の壁面１ｂの反対側）には係止爪１４（本願の係止部に相当する）が折り返し状にかつ外方へ張り出すようにして形成されている。係止爪１４は斜め下向きに突出しており、尖った先端を有している。そして、抜け止め具４がシャフト２に装着されると、係止爪１４はシャフト２の外周面であって貫通孔３の出口付近に突き立てられ、これによって抜け止め具４全体の抜け止めが可能となる。
【００２０】
なお、抜け止め片９の先端の位置は挿通片８の先端位置よりも内側に位置するようにしてある。
【００２１】
上記の実施形態のものにおいて、抜け止め具４をシャフト２へ装着する際には、貫通孔３に対する挿通片８の差し込みが先行してなされる。その後、抜け止め片９の先端が当接するが、先端部は上向きに傾斜しているため、押し込み操作面５に対する押圧によって抜け止め片９は自動的に拡開変形を開始し、シャフト２の外周面に沿って乗り上げてゆく。さらにそのまま押し込みがなされ係止爪１４がシャフト２の中心を通る鉛直軸を通過すると、抜け止め片９は弾性反力にて復帰し姿勢保持部１２の山形部分がシャフト２の外周面に適合する。これによって、挿通片８が貫通孔３を貫通するとともに、係止爪１４がシャフト２の外周面に係止して抜け止め具４の装着が完了する。
【００２２】
ところで、本実施形態によれば、抜け止め具４の装着状態においては、姿勢保持部１２がシャフト２の外面に対して面当たりしているため、従来のような線材よりなる抜け止め具４に比較してねじれを生じにくく、姿勢の安定性に富む。したがって、がたつき感を与えにくく、その分装着信頼性を向上させることができる。また、姿勢保持部１２は抜け止め片９の弾発力の作用によってシャフト２外面に適合状態で弾接していることも、上記姿勢安定性に大きく寄与している。さらに、抜け止め具４の装着にあたり、過挿入規制部７が挿通片８の過度な挿入を規制するため、正規装着状態を安定的に得ることができる。さらにまた、拡張部５ｂを設けることによって押し込み操作面５が拡大されているため、作業者による押し込み操作を行い易くしている。その反面、異物の衝突等、抜け止め具４を抜き出す方向に外力が作用する機会を増大させてしまうが、こうした場合においても、拡張部５ｂを変形させることにより、異物等による衝撃エネルギーが吸収されるため、係止爪１４の係止状況をそのまま維持することができる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２４】
（１）係止爪１４は、本実施形態のように抜け止め片９先端の片側にのみ設けるのでなく、両側に設けてもよい。
【００２５】
（２）係止爪１４は本実施形態のようにシャフト２に係止するものに限らず、挿通片８に係止するようにしてもよい。また、係止爪１４は挿通片８側に形成し、抜け止め片９側にはこれに係止する突部あるいは孔を形成するようにしてもよい。
【００２６】
（３）本実施形態の押し込み操作面５では、基部５ａと拡張部５ｂとの境界部に上下からスリット状に除肉したが、スリットに代えて全高さに沿って薄肉化するような除肉手段も考えられる。
【図面の簡単な説明】
【００２７】
【図１】抜け止め具全体を示す斜視図
【図２】抜け止め具の平面図
【図３】同側面図
【図４】装着状態を示す断面図
【符号の説明】
【００２８】
１…ブラケット（軸受け体）
２…シャフト（軸部材）
３…貫通孔
４…抜け止め具
５…押し込み操作面
７…過挿入規制部
８…挿通片
９…抜け止め片
１２…姿勢保持部
１４…係止爪
【図１】
2006038028.tif 000003
【図２】
2006038028.tif 000004
【図３】
2006038028.tif 000005
【図４】
2006038028.tif 000006